Podtech/llm-jp-corpus-v4-ja_patent huggingface dataset:
【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
少なくとも一種の大環状ポリエステルオリゴマーを、少なくとも一種の次式
【化１】
2008519893.tif 000001
（式中、Ｒ1およびＲ2は、それぞれ独立して、Ｃ1~12脂肪族ヒドロカルビルまたは置換脂肪族ヒドロカルビル基であり；
Ｒ3およびＲ4は、それぞれ独立して、Ｃ1~12脂肪族ヒドロカルビルまたは置換脂肪族ヒドロカルビル基であり；
Ｒ、Ｒ6およびＲ7は、それぞれ独立して、Ｃ1~12アルキル基であり；そして
Ｒ8およびＲ9は、それぞれ独立して、Ｃ1~12アルキル基である）によって表される触媒と接触させる工程を含むことを特徴とする熱可塑性ポリエステルの調製法。
【請求項２】
大環状ポリエステルオリゴマーから物品を製造する方法であって、次の工程：
（ａ）少なくとも１種の大環状ポリエステルオリゴマーならびに請求項１に記載の触媒のいずれか１種もしくは複数を金型に提供する工程と、
（ｂ）オリゴマーの重合が生じる温度まで金型の内容物を加熱する工程と
を含むことを特徴とする方法。
【手続補正２】
【補正対象書類名】明細書
【補正対象項目名】００９９
【補正方法】変更
【補正の内容】
【００９９】
（実施例１０）
アルミニウムイソプロポキシドを使用する環式ポリ（１，３−プロピレンテレフタレート）の重合
融解するまで、環式ポリ（１，３−プロピレンテレフタレート）（５ｇ）を２６５℃までホットブロックにおいて加熱した。アルミニウムイソプロポキシド（１７ｍｇ、０．０７５１ｍｍｏｌ）を添加し、重合を開始した。重合を５分間続行し、硬質の半結晶ポリマーが得られた。ＧＰＣ分析によって、Ｍn＝８６１０およびＭw＝１５８００が示された。
本出願は、特許請求の範囲に記載した発明を復命化の発明を包含する。
（１）  少なくとも一種の大環状ポリエステルオリゴマーを、少なくとも一種の次式
【化１】
2008519893.tif 000002
（式中、Ｒ1およびＲ2は、それぞれ独立して、Ｃ1~12脂肪族ヒドロカルビルまたは置換脂肪族ヒドロカルビル基であり；
Ｒ3およびＲ4は、それぞれ独立して、Ｃ1~12脂肪族ヒドロカルビルまたは置換脂肪族ヒドロカルビル基であり；
Ｒ、Ｒ6およびＲ7は、それぞれ独立して、Ｃ1~12アルキル基であり；そして
Ｒ8およびＲ9は、それぞれ独立して、Ｃ1~12アルキル基である）によって表される触媒と接触させる工程を含むことを特徴とする熱可塑性ポリエステルの調製法。
（２）  約１８０℃〜約２８０℃の温度で実行されることを特徴とする（１）に記載の方法。
（３）  大環状ポリエステルオリゴマーから物品を製造する方法であって、次の工程：
（ａ）少なくとも１種の大環状ポリエステルオリゴマーならびに（１）に記載の触媒のいずれか１種もしくは複数を金型に提供する工程と、
（ｂ）オリゴマーの重合が生じる温度まで金型の内容物を加熱する工程と
を含むことを特徴とする方法。
（４）  大環状ポリエステルオリゴマーが溶融され、そして金型中に射出されることを特徴とする（３）に記載の方法。
（５）  金型が繊維状プレフォームを含有し、そして大環状ポリエステルオリゴマーおよび触媒がプレフォーム中に注入されることを特徴とする（３）または（４）に記載の方法。
（６）  繊維強化物品を製造するための引抜成形法であって、次の工程：
（ａ）少なくとも１種の大環状ポリエステルオリゴマーならびに（１）に記載の触媒のいずれか１種もしくは複数を提供する工程と；
（ｂ）繊維状ストランドを細長いダイ中に引き入れる工程と；
（ｃ）ダイ中で、大環状ポリエステルオリゴマーおよび触媒を繊維状ストランドと、その周囲で接触させる工程と；
（ｄ）加熱して、大環状ポリエステルオリゴマーの重合を生じさせ、繊維状ストランドの周囲で高分子量ポリエステル樹脂マトリックスを形成する工程と；
（ｅ）所望の断面を有するダイの出口部分にポリエステルマトリックスを引き入れ、それによって物品を形成する工程と
を含むことを特徴とする方法。
（７）  大環状ポリエステルオリゴマーから中空プラスチック複合材物品を製造するためのフィラメントワインディング法であって、次の工程：
（ａ）少なくとも１種の大環状ポリエステルオリゴマーならびに（１）に記載の触媒のいずれか１種もしくは複数を提供する工程と；
（ｂ）大環状ポリエステルオリゴマーおよび重合触媒を繊維状ストランドと接触させる工程と；
（ｃ）繊維状ストランドをマンドレル上に巻き上げる工程と；
（ｄ）重合が生じる温度まで大環状ポリエステルオリゴマーを加熱する工程と
を含むことを特徴とする方法。
（８）  大環状ポリエステルオリゴマーから管状物品を製造するためのロールラッピング法であって、次の工程：
（ａ）強化繊維のシートまたはテープを、少なくとも１種の大環状ポリエステルオリゴマーならびに（１）に記載の触媒のいずれか１種もしくは複数で含浸させることによって、プレプレグを形成する工程と；
（ｂ）マンドレル上でプレプレグを回転させる工程と；
（ｃ）重合が生じる温度まで大環状ポリエステルオリゴマーを加熱する工程と
を含むことを特徴とする方法。
（９）  少なくとも１種のフィラーが大環状ポリエステルオリゴマーと接触して存在することを特徴とする（１）〜（８）のいずれかの一に記載の方法。
【手続補正書】
【提出日】平成20年8月29日(2008.8.29)
【手続補正１】
【補正対象書類名】特許請求の範囲
【補正対象項目名】全文
【補正方法】変更
【補正の内容】
【特許請求の範囲】
【請求項１】
（ａ）少なくとも５分の、溶融状態からの結晶化半時間を有するランダムコポリマーであるポリエステル、並びに
（ｂ）（ｉ）炭素数５〜２０の、１又はそれ以上の置換又は非置換の脂環式ジカルボン酸の残基を含む２酸残基、及び
（ｉｉ）炭素数２〜２０の脂肪族ジオール、分子量４００〜１２０００のポリ（オキシアルキレン）−グリコール及びコポリ（オキシアルキレン）グリコール、炭素数５〜２０の脂環式ジオール及び炭素数６〜２０の芳香族ジオールからなる群から選択される１又はそれ以上の置換又は非置換で、直鎖又は分岐ジオールの残基を含むジオール残基を含む１又はそれ以上のポリエステルエラストマー、
を含んでなるポリエステルブレンド。
【請求項２】
前記ポリエステルブレンドのカレンダ加工ロールへの付着を防止するのに有効な量の離型添加剤を更に含む請求項１に記載のポリエステルブレンド。
【請求項３】
離型添加剤がエルシルアミド、ステアルアミド、ステアリン酸カルシウム、ステアリン酸亜鉛、ステアリン酸、モンタン酸、モンタン酸エステル、モンタン酸塩、オレイン酸、パルミチン酸、パラフィンワックス、ポリエチレンワックス、ポリプロピレンワックス、カルナバワックス、モノステアリン酸グリセロール及びジステアリン酸グリセロールからなる群から選択される請求項２に記載のポリエステルブレンド。
【請求項４】
離型添加剤が（ｉ）炭素数１８超の脂肪酸又はその塩及び（ｉｉ）炭素数１８超の脂肪酸残基及び炭素数２〜２８のアルコール残基を含むエステルワックスを含む請求項２に記載のポリエステルブレンド。
【請求項５】
可塑剤、難燃剤、酸化防止剤、ブロッキング防止剤、充填剤、着色剤及び顔料からなる群から選択される１又はそれ以上の添加剤を更に含む請求項１に記載のポリエステルブレンド。
【請求項６】
ポリエステルがコハク酸、グルタル酸、アジピン酸、スベリン酸、セバシン酸、アゼライン酸、ダイマー酸及びスルホイソフタル酸からなる群から選択される１又はそれ以上の改質用酸を更に含む請求項１に記載のポリエステルブレンド。
【請求項７】
ポリエステルが、ポリエステルの全体重量に対して、０．０５〜１重量％の、トリメリット酸、無水トリメリット酸、ピロメリット酸２無水物、トリメチロールプロパン、グリセロール、ペンタエリスリトール、クエン酸、酒石酸及び３−ヒドロキシグルタル酸からなる群から選択される分岐モノマーの１又はそれ以上の残基を更に含む請求項１に記載のポリエステルブレンド。
【請求項８】
ポリエステルエラストマーが１，４−シクロヘキサンジカルボン酸及び１，３−シクロヘキサンジカルボン酸からなる群から選択される少なくとも一つの２酸の残基を含む請求項１に記載のポリエステルブレンド。
【請求項９】
ポリエステルエラストマーがエチレングリコール、１，３−プロパンジオール、１，４−ブタンジオール、１，５−ペンタンジオール、２−メチルプロパンジオール、２，２−ジメチルプロパンジオール、１，６−ヘキサンジオール、デカンジオール、２，２，４，４―テトラメチル−１，３−シクロブタンジオール、１，３−シクロヘキサンジメタノール、１，４−シクロヘキサンジメタノール、ポリ（エチレンエーテル）グリコール、ポリ（プロピレンエーテル）グリコール及びポリ（テトラメチレンエーテル）グリコールからなる群から選択される少なくとも一つのジオールの残基を含む請求項１に記載のポリエステルブレンド。
【請求項１０】
ポリエステルエラストマーが、ポリエステルエラストマーの全体重量に対して、０．０５〜１重量％の、トリメリット酸、無水トリメリット酸、ピロメリット酸２無水物、トリメチロールプロパン、グリセロール、ペンタエリスリトール、クエン酸、酒石酸、及び３−ヒドロキシグルタル酸からなる群から選択される分岐モノマーの１又はそれ以上の残基を更に含む請求項９に記載のポリエステルブレンド。
【請求項１１】
ポリエステルエラストマーが
（ａ）（ｉ）２酸残基の全体モルに対して、少なくとも９０モル％の１，４−シクロヘキサンジカルボン酸残基及び
（ｉｉ）全体２酸残基に対して、０．１〜２モル％のトリメリット酸、無水トリメリット酸及びピロメリット酸２無水物からなる群から選択される少なくとも一つの分岐剤の残基
を含む２酸残基並びに
（ｂ）（ｉ）全体ジオール残基に対して、２〜２０モル％の、分子量５００〜２０００のポリ（テトラメチレンエーテル）グリコール及び
（ｉｉ）全体ジオール残基に対して、９８〜８０モル％の１，４−シクロヘキサンジメタノール及び１，４−ブタンジオールからなる群から選択される少なくとも一つのジオールの残基
を含むジオール残基
を含む請求項１に記載のポリエステルブレンド。
【請求項１２】
１５〜２５重量％のポリエステルエラストマーを含む請求項１に記載のポリエステルブレンド。
【請求項１３】
請求項１に記載のポリエステルブレンドをカレンダ加工するか、又は押出成形することを含んでなるフィルム又はシートの製造方法。
【請求項１４】
請求項２に記載のポリエステルブレンドをカレンダ加工するか、又は押出成形することを含んでなるフィルム又はシートの製造方法。
【請求項１５】
請求項１に記載のポリエステルブレンドを含む、押出成形又はカレンダ加工法により製造されるフィルム又はシート。
【請求項１６】
請求項２に記載のポリエステルブレンドを含む、押出成形又はカレンダ加工法により製造されるフィルム又はシート。
【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
動的衝撃用途のための衝撃吸収部材であって、該衝撃吸収部材は、使用中に該衝撃吸収部材を永久変形させるのに十分な衝撃力を吸収することが予想されており、該衝撃吸収部材は1つ又は2つ以上の気泡ポリマー区分を含み、該気泡ポリマー区分のそれぞれは、3〜10%歪みの弾性限度を有し、該気泡ポリマーは、(1)押出し方向において発泡性樹脂混合物から成る単一の連続塊を押出すことにより、(2)膨張性ポリマービードを膨張させることにより、又は(3)反応性発泡プロセスにおいて形成され、そして前記特定のジオメトリーに成形され、さらに該気泡ポリマーは、CE/CT、CV/CT及びCH/CTによって表される異方性挙動を示し、CE、CV及びCHは、25%歪みまで歪み速度0.08 s-1で25〜50 mm厚の気泡ポリマー試料を圧縮することにより測定して、3つの直交方向E、V及びHのそれぞれにおける該気泡ポリマーの圧縮強度をそれぞれ表し、CTは、CE、CV及びCHの和を表し、そしてCE/CT、CV/CT及びCH/CTのうちの少なくとも1つの値は、0.40〜0.80であり、そして該気泡ポリマー区分のそれぞれは、最高圧縮強度の方向が予想衝撃方向に向けられるように配向されている。
【請求項２】
CE/CT、CV/CT及びCH/CTのうちの少なくとも1つの値が、少なくとも0.50であり、そしてさらに該気泡ポリマーが、押出し方向において発泡性樹脂混合物から成る単一の連続塊を押出すことにより形成される請求項1に記載の衝撃吸収部材。
【請求項３】
該方向Eが押出し方向を表し、そしてCV/CT及びCH/CTのうちの少なくとも一方が、CE/CTよりも大きい請求項2に記載の衝撃吸収部材。
【請求項４】
該気泡ポリマーが、最大次元における平均気泡サイズが0.9〜3 mmの気泡を有している請求項1に記載の衝撃吸収部材。
【請求項５】
該気泡ポリマーが、ポリスチレン、又はスチレンとアクリロニトリルとのコポリマーである請求項3に記載の衝撃吸収部材。
【請求項６】
乗物のための衝撃吸収部材であって、該衝撃吸収部材は、押出し方向Eにおいて単一のオリフィスを通して発泡性熱可塑性ポリマー組成物から成る塊を押出し、そして得られた押出されたポリマーを成形して前記特定のジオメトリーにすることによりそれぞれ形成される1つ又は2つ以上のエネルギー吸収性気泡ポリマー区分を含み、該気泡ポリマー区分のそれぞれは、3〜10%歪みの弾性限度を有し、そしてさらに該気泡ポリマーの気泡は、押出し方向に対して直交する少なくとも1つの方向Vにおいて、基準0.80≧DV/DT≧0.40 (ここで、DVは、該押出し方向に対する前記直交方向における該気泡の平均寸法を表す)、及びDT＝DV＋DE＋DH (ここで、DEは、押出し方向Eにおける該気泡の平均寸法であり、DHは、E及びV双方の方向に対して直交する方向Hにおける該気泡の平均寸法である)を満たす平均寸法を有する。
【請求項７】
DV/DTの値が、少なくとも0.50である請求項6に記載の衝撃吸収部材。
【請求項８】
該気泡ポリマーの連続気泡含有率が、少なくとも10 %である請求項6に記載の衝撃吸収部材。
【請求項９】
DVの平均値が、0.9〜2 mmである請求項8に記載の衝撃吸収部材。
【請求項１０】
該気泡ポリマーが、ポリスチレン、又はスチレンとアクリロニトリルとのコポリマーである請求項6に記載の衝撃吸収部材。
【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
ＰＴＰアーゼ阻害剤およびＴ細胞活性化剤を含有する、癌の治療のための治療組成物。
【請求項２】
前記癌が、リンパ腫、多発性骨髄腫、白血病、黒色腫、前立腺癌、乳癌、腎癌、膀胱癌、およびそれらの組合せからなる群より選択される、請求項１に記載の治療組成物。
【請求項３】
前記ＰＴＰアーゼ阻害剤が、五価アンチモン化合物、イミダゾール、およびジアミジン化合物、それらの生物学的等価物、およびそれらの組合せからなる群より選択される、請求項１に記載の治療組成物。
【請求項４】
前記ＰＴＰアーゼ阻害剤が五価アンチモン化合物である、請求項３に記載の治療組成物。
【請求項５】
前記五価アンチモン化合物がスチボグルコン酸ナトリウムである、請求項４に記載の治療組成物。
【請求項６】
前記スチボグルコン酸ナトリウムが異なる化合物の混合物を含む、請求項５に記載の治療組成物。
【請求項７】
前記混合物を分別し、１またはそれ以上の分画を除去する、請求項６に記載の治療組成物。
【請求項８】
前記混合物を高速液体クロマトグラフィーによって分別する、請求項７に記載の治療組成物。
【請求項９】
前記Ｔ細胞活性化剤が腫瘍浸潤性マクロファージを誘導する、請求項１に記載の治療組成物。
【請求項１０】
前記Ｔ細胞活性化剤が、ＩＬ−２およびその機能的変異体である、請求項９に記載の治療組成物。
【請求項１１】
ＰＴＰアーゼ阻害剤とＩＬ−２を含有する、ＩＬ−２の毒性を低下させるための治療組成物。
【請求項１２】
前記ＰＴＰアーゼ阻害剤が、五価アンチモン化合物、イミダゾール、およびジアミジン化合物、それらの生物学的等価物、およびそれらの組合せからなる群より選択される、請求項１１に記載の治療組成物。
【請求項１３】
前記ＰＴＰアーゼ阻害剤が五価アンチモン化合物である、請求項１２に記載の治療組成物。
【請求項１４】
前記五価アンチモン化合物がスチボグルコン酸ナトリウムである、請求項１３に記載の治療組成物。
【請求項１５】
前記スチボグルコン酸ナトリウムが異なる化合物の混合物を含む、請求項１４に記載の治療組成物。
【請求項１６】
前記混合物を分別し、１またはそれ以上の分画を除去する、請求項１５に記載の治療組成物。
【請求項１７】
前記混合物を高速液体クロマトグラフィーによって分別する、請求項１６に記載の治療組成物。
【請求項１８】
ａ）ＰＴＰアーゼ阻害剤を含む容器；および
ｂ）癌の治療における前記ＰＴＰアーゼ阻害剤とＴ細胞活性化剤の使用のための指示書
を含み、それらと共に包装されたキット。
【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
水性媒体と、７０〜２００の重量平均酸価を有する、少なくとも２つの異なったポリマーである第一のポリマーおよび第二のポリマーとを含んでなる実質的に無色のインクジェットインク組成物。
【請求項２】
第一のポリマーがポリウレタンポリマーであり、第二のポリマーがアクリルポリマーである請求項１に記載のインク組成物。
【請求項３】
第一のポリマーが６０〜１００の酸価を有し、第二のポリマーが１８０〜２４０の酸価を有する請求項１または２に記載のインク組成物。
【請求項４】
請求項１〜３のいずれか一項に記載の少なくとも１つの実質的に無色のインク組成物、並びに水性媒体と顔料または色素とを含んでなる少なくとも１つのカラーインクを含んでなるインクジェットインクセット。
【請求項５】
カラーインクが７０〜２００の重量平均酸価を有する、少なくとも２つの異なったポリマーである第一のポリマーおよび第二のポリマーをさらに含む請求項４に記載のインクセット。
【請求項６】
次の各工程を含んでなるインクジェット印刷方法。
Ａ）デジタルデータ信号に応答するインクジェットプリンターを準備すること、
Ｂ）インクジェット記録要素を該プリンターに装着すること、
Ｃ）請求項１〜３のいずれか一項に記載の無色のインクジェットインク組成物を該プリンターに充填すること、および
Ｄ）該デジタルデータ信号に応答して、該無色のインクジェット組成物を用いて該インクジェット記録要素に印刷すること。
【手続補正書】
【提出日】平成20年10月8日(2008.10.8)
【手続補正１】
【補正対象書類名】特許請求の範囲
【補正対象項目名】全文
【補正方法】変更
【補正の内容】
【特許請求の範囲】
【請求項１】
水性媒体およびミクロゲル粒子を含んでなるインクジェットインク組成物であって、前記粒子が、少なくとも１種の架橋性モノマー、重合性カルボン酸モノマーおよび１種または２種以上の重合性で水不溶性のビニル系モノマーを含んでなるモノマー混合物から調製された架橋コポリマーを含んでなるインクジェットインク組成物。
【請求項２】
前記インクが実質的に無色である、請求項１に記載のインク組成物。
【請求項３】
請求項１または２に記載の少なくとも１種の実質的に無色のインク組成物；および水性媒体および顔料または染料を含んでなる少なくとも１種の着色インクを含んでなるインクジェットインクセット。
【請求項４】
Ａ）デジタルデータ信号に応答するインクジェットプリンタを用意する工程；
Ｂ）前記プリンタにインクジェット記録要素を装填する工程；
Ｃ）前記プリンタに請求項１または２に記載のインクジェットインク組成物を装填する工程；および
Ｄ）前記デジタルデータ信号に応答して前記インクジェット組成物を使用し前記インクジェット記録要素上に印刷する工程；
を含んでなるインクジェット印刷法。
【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
一般式（I）の化合物、並びにこれらの光学的に純粋な鏡像異性体、ラセミ化合物などの鏡像異性体の混合物および薬学的に許容される塩：
【化１】
2008519826.tif 000001
式中、
R1は、-CH(OH)-CH3、-CH2-CH2OH、-CH2COOH、-CH2-CH2-CH2OH、-CH2-CH2-COOHを表し；
R2は、4-ブロモフェニル、4-クロロフェニル、4-メチルフェニル、2-メトキシフェノキシ、3-メトキシフェノキシ、2-クロロ-5-メトキシ-フェノキシを表し；
R3は、臭素または塩素を表す。
【請求項２】
R1が-CH2-CH2OHを表し、かつR2およびR3が請求項1に記載の一般式（I）で定義されたとおりである、請求項1に記載の一般式（I）のスルファミド誘導体；
並びにこれらの光学的に純粋な鏡像異性体、ラセミ化合物などの鏡像異性体の混合物および薬学的に許容される塩。
【請求項３】
R1が-CH2-COOHを表し、かつR2およびR3が請求項1に記載の一般式（I）で定義されたとおりである、請求項1に記載の一般式（I）のスルファミド誘導体；
並びにこれらの光学的に純粋な鏡像異性体、ラセミ化合物などの鏡像異性体の混合物および薬学的に許容される塩。
【請求項４】
R2が4-ブロモフェニルを表し、かつR1およびR3が請求項1に記載の一般式（I）で定義されたとおりである、請求項1に記載の一般式（I）のスルファミド誘導体；
並びにこれらの光学的に純粋な鏡像異性体、ラセミ化合物などの鏡像異性体の混合物および薬学的に許容される塩。
【請求項５】
R3が臭素を表し、かつR1およびR2が請求項1に記載の一般式（I）で定義されたとおりである、請求項1に記載の一般式（I）のスルファミド誘導体；
並びにこれらの光学的に純粋な鏡像異性体、ラセミ化合物などの鏡像異性体の混合物および薬学的に許容される塩。
【請求項６】
R1が-CH2-CH2OHまたは-CH2-COOHを表し、R2が4位においてハロゲンで置換されたフェニルを表し、かつR3が上記一般式（I）で定義されたとおりである、請求項1に記載の一般式（I）のスルファミド誘導体；
並びにこれらの光学的に純粋な鏡像異性体、ラセミ化合物などの鏡像異性体の混合物および薬学的に許容される塩。
【請求項７】
R1が-CH2-CH2OHを表し、かつR2が4-ブロモフェニルを表し、かつR3が請求項1に記載の一般式（I）で定義されたとおりである、請求項1に記載の一般式（I）のスルファミド誘導体；
並びにこれらの光学的に純粋な鏡像異性体、ラセミ化合物などの鏡像異性体の混合物および薬学的に許容される塩。
【請求項８】
R1が-CH2-COOHを表し、かつR2が4-ブロモフェニルを表し、かつR3が上記一般式（I）で定義されたとおりである、請求項1に記載の一般式（I）のスルファミド誘導体；
並びにこれらの光学的に純粋な鏡像異性体、ラセミ化合物などの鏡像異性体の混合物および薬学的に許容される塩。
【請求項９】
3-ヒドロキシプロピルスルファミン酸｛5-(4-ブロモフェニル)-6-[2-(5-ブロモピリミジン-2-イルオキシ)-エトキシ]-ピリミジン-4-イル｝-アミド、
2-ヒドロキシカルボニルエチルスルファミン酸｛5-(4-ブロモフェニル)-6-[2-(5-ブロモピリミジン-2-イルオキシ)-エトキシ]-ピリミジン-4-イル｝アミドからなる群より選択される、請求項1〜8のいずれか1項に記載のスルファミド誘導体。
【請求項１０】
高血圧症治療、冠状動脈疾患、心不全、腎臓および心筋虚血、腎不全、脳虚血、痴呆、片頭痛、クモ膜下出血、レイノー症候群、門脈圧亢進症、肺性高血圧、アテローム性動脈硬化症、バルーンまたはステント血管形成術後の再狭窄の予防、炎症、肺線維症、結合組織病、胃および十二指腸潰瘍、指潰瘍、癌、前立腺肥大症、勃起障害、聴覚損失、黒内障、慢性気管支炎、喘息、グラム陰性敗血症、ショック、鎌状赤血球貧血、糸球体腎炎、腎疝痛、緑内障、血管もしくは心臓外科手術における、または臓器移植後の合併症、並びにシクロスポリンの合併症、糖尿病合併症の治療および予防のための医薬として使用するための、請求項1〜9のいずれか1項に記載の化合物。
【請求項１１】
高血圧症治療、冠状動脈疾患、心不全、腎臓および心筋虚血、腎不全、脳虚血、痴呆、片頭痛、クモ膜下出血、レイノー症候群、門脈圧亢進症、肺性高血圧、アテローム性動脈硬化症、バルーンまたはステント血管形成術後の再狭窄の予防、炎症、肺線維症、結合組織病、胃および十二指腸潰瘍、指潰瘍、癌、黒色腫、前立腺癌、前立腺肥大症、勃起障害、聴覚損失、黒内障、慢性気管支炎、喘息、グラム陰性敗血症、ショック、鎌状赤血球貧血、糸球体腎炎、腎疝痛、緑内障、糖尿病合併症の治療および予防、血管もしくは心臓外科手術における、または臓器移植後の合併症、並びにシクロスポリンの合併症の治療のための医薬組成物の製造のための活性成分としての、請求項1〜9のいずれか1項に記載の1つまたは複数の化合物の使用。
【請求項１２】
請求項10又は11において請求した疾患治療のための、請求項1〜9に記載のいずれか1項において請求した少なくとも1つの化合物と薬学的に許容される賦形剤とを含む医薬組成物。
【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
（ａ）エステル樹脂；
（ｂ）少なくとも一種の共重合性の反応性モノマー；及び
（ｃ）当該エステル樹脂組成物が硬化する際に、得られた硬化したエステル樹脂組成物の靭性が増加するような、少なくとも一つのエステル樹脂混和性ブロックセグメントと、少なくとも一つのエステル樹脂非混和性ブロックセグメントとを含む両親媒性ブロックコポリマー：
を含む硬化性エステル樹脂組成物。
【請求項２】
前記両親媒性ブロックコポリマーが、両親媒性ポリエーテルブロックコポリマーである、請求項１に記載の組成物。
【請求項３】
前記混和性ブロックセグメントが、ポリエーテル構造を少なくとも一つ含み、前記非混和性ブロックセグメントが、ポリエーテル構造を少なくとも一つ含む、請求項１又は２に記載の組成物。
【請求項４】
前記非混和性ブロックセグメントが、当該非混和性ブロックセグメントのポリエーテル構造が少なくとも４個の炭素原子を有する少なくとも一つ又は二つ以上のアルキレンオキシドモノマー単位を含む条件の下、ポリエーテル構造を少なくとも一つ含む、請求項１〜３のいずれか一項に記載の組成物。
【請求項５】
前記両親媒性ブロックコポリマーが、ジブロック、直鎖トリブロック、直鎖テトラブロック、高次の複数ブロック構造、分岐鎖ブロック構造、又は星型ブロック構造から成る群から選択される、請求項１〜４のいずれか一項に記載の組成物。
【請求項６】
前記混和性ブロックセグメントが、ポリエチレンオキシドブロック、プロピレンオキシドブロック又はポリ（エチレンオキシド−ｃｏ−プロピレンオキシド）ブロックを含み；そして前記非混和性ブロックセグメントが、ポリブチレンオキシドブロック、ポリヘキシレンオキシドブロック、ポリドデシレンオキシドブロック又はポリヘキサデシレンオキシドブロックを含む、請求項１〜５のいずれか一項に記載の組成物。
【請求項７】
前記両親媒性ブロックコポリマーの前記混和性ブロックセグメントの少なくとも一つがポリ（エチレンオキシド）であり；そして前記両親媒性ブロックコポリマーの前記非混和性ブロックセグメントの少なくとも一つがポリ（ブチレンオキシド）である、請求項１〜６のいずれか一項に記載の組成物。
【請求項８】
前記両親媒性ブロックコポリマーが、ポリ（エチレンオキシド）−ｂ−ポリ（ブチレンオキシド）又はポリ（エチレンオキシド）−ｂ−ポリ（ブチレンオキシド）−ｂ−ポリ（エチレンオキシド）である、請求項１〜７のいずれか一項に記載の組成物。
【請求項９】
前記両親媒性ブロックコポリマーが、１０００〜３０，０００の分子量を有する、請求項１〜８のいずれか一項に記載の組成物。
【請求項１０】
前記両親媒性ブロックコポリマーの前記混和性ブロックセグメント：前記両親媒性ブロックコポリマーの前記非混和性ブロックセグメントの比率が、１０：１〜１：１０である、請求項１〜９のいずれか一項に記載の組成物。
【請求項１１】
前記両親媒性ブロックコポリマーが、前記組成物の重量に基づいて、０．１重量％〜５０重量％の量で存在する、請求項１〜１０のいずれか一項に記載の組成物。
【請求項１２】
前記エステル樹脂非混和性ブロックセグメントと同一組成のホモポリマーを包含する、請求項１〜１１のいずれか一項に記載の組成物。
【請求項１３】
前記エステル樹脂混和性ブロックセグメントと同一組成のホモポリマーを包含する、請求項１〜１２のいずれか一項に記載の組成物。
【請求項１４】
前記エステル樹脂非混和性ブロックに混和性を有し、従って熱硬化網目における前記非混和性ブロックのモルホロジーを変化させるポリマーを包含する、請求項１〜１３のいずれか一項に記載の組成物。
【請求項１５】
前記エステル樹脂が、０％〜５０％のスチレンモノマーを含むエポキシビニルエステル樹脂である、請求項１〜１４のいずれか一項に記載の組成物。
【請求項１６】
前記エステル樹脂が、（ａ）ポリエポキシド樹脂と、（ｂ）不飽和カルボン酸、又は不飽和カルボン酸及び無水マレイン酸の混合物との反応生成物を含むエポキシビニルエステル樹脂である、請求項１〜１４のいずれか一項に記載の組成物。
【請求項１７】
前記ポリエポキシドが、１５０〜３０００のエポキシド当量を有する、請求項１６に記載の組成物。
【請求項１８】
前記不飽和カルボン酸が、エポキシ当量に対して８５％〜１１０％の酸当量を有する、請求項１６又は１７に記載の組成物。
【請求項１９】
前記共重合性の反応性モノマーが、スチレン、ビニルトルエン、パラ−メチルスチレン、ジビニルベンゼン、及びメタクリル酸メチルから成る群から選択される、請求項１〜１８のいずれか一項に記載の組成物。
【請求項２０】
前記組成物中の共重合性の反応性モノマー濃度が、０．１重量％〜７０重量％である、請求項１〜１９のいずれか一項に記載の組成物。
【請求項２１】
前記エステル樹脂が、次の一般構造式：
(R-O-C(=O)-R’-C(=O)-O)x(R-O-C(=O)-CH=CH-C(=O)-O)y
（式中、Ｒ及びＲ’は、それぞれ、ジオール及び飽和酸中のアルキレン又はアリーレン基であり、そしてｘ及びｙは組成及び縮合条件に応じて決まる変数である。）
を有する不飽和のポリエステル樹脂である、請求項１〜１４のいずれか一項に記載の組成物。
【請求項２２】
前記エステル樹脂が、（ａ）エチレン性不飽和ジカルボン酸若しくはポリカルボン酸、又は無水物、（ｂ）飽和ジカルボン酸、及び（ｃ）ジオール又はポリオールの反応生成物を含む不飽和のポリエステル樹脂である、請求項１〜１４のいずれか一項に記載の組成物。
【請求項２３】
硬化触媒を含む、請求項１〜２１のいずれか一項に記載の組成物。
【請求項２４】
顔料を含む、請求項１〜２２のいずれか一項に記載の組成物。
【請求項２５】
（ａ）エステル樹脂；
（ｂ）少なくとも一種の共重合性の反応性モノマー；及び
（ｃ）当該エステル樹脂組成物が硬化する際に、得られた硬化したエステル樹脂組成物の靭性が増加するような、少なくとも一つのエステル樹脂混和性ブロックセグメントと、少なくとも一つのエステル樹脂非混和性ブロックセグメントとを含む両親媒性ブロックコポリマー：
を混合することを含む硬化性エステル樹脂を調製するための方法。
【請求項２６】
請求項１〜２４のいずれか一項に記載の組成物を含む複合材料。
【手続補正書】
【提出日】平成20年10月28日(2008.10.28)
【手続補正１】
【補正対象書類名】特許請求の範囲
【補正対象項目名】全文
【補正方法】変更
【補正の内容】
【特許請求の範囲】
【請求項１】
（ａ）エポキシ樹脂；
（ｂ）少なくとも一つのエポキシ樹脂混和性ブロックセグメントと、少なくとも一つのエポキシ樹脂非混和性ブロックセグメントとを含む両親媒性ブロックコポリマー、ここで、前記非混和性ブロックセグメントは、当該非混和性ブロックセグメントのポリエーテル構造が少なくとも４個の炭素原子を有するアルキレンオキシドモノマー単位を少なくとも一つ又は二つ以上含む条件の下で、前記エポキシ樹脂組成物が硬化する際に得られた硬化したエポキシ接着性樹脂組成物の結合強度が前記両親媒性ポリエーテルブロックコポリマーなしのエポキシ樹脂組成物と比較して向上するような量で、ポリエーテル構造を少なくとも一つ含む；及び
（ｃ）少なくとも一種の硬化剤：
を含む硬化性の接着性エポキシ樹脂組成物。
【請求項２】
前記両親媒性ブロックコポリマーが、少なくとも一つのエポキシ樹脂混和性ブロックセグメントと、少なくとも一つのエポキシ樹脂非混和性ブロックセグメントとを含む両親媒性ポリエーテルブロックコポリマーであり、前記混和性ブロックセグメントが、ポリエーテル構造を少なくとも一つを含む、請求項１に記載の組成物。
【請求項３】
充填剤を包含する、請求項１又は２に記載の組成物。
【請求項４】
前記充填剤が、ヒュームドシリカ、コロイダルシリカ、ベントナイトクレー、マイカ、噴霧アルミニウム粉末、及びそれらの混合物から成る群から選択される、請求項３に記載の組成物。
【請求項５】
前記充填剤の量が０〜７０である、請求項３又は４に記載の組成物。
【請求項６】
前記両親媒性ポリエーテルブロックコポリマーが、ジブロック、直鎖トリブロック、直鎖テトラブロック、高次の複数ブロック構造、分岐鎖ブロック構造、又は星型ブロック構造から成る群から選択される、請求項１〜５のいずれか一項に記載の組成物。
【請求項７】
前記混和性ブロックセグメントが、ポリエチレンオキシドブロック、プロピレンオキシドブロック又はポリ（エチレンオキシド−ｃｏ−プロピレンオキシド）ブロックを含み；そして前記非混和性ブロックセグメントが、ポリブチレンオキシドブロック、ポリヘキシレンオキシドブロック、又はポリドデシレンオキシドブロックを含む、請求項１〜６のいずれか一項に記載の組成物。
【請求項８】
前記両親媒性ブロックコポリマーの前記混和性ブロックセグメントの少なくとも一つが、ポリ（エチレンオキシド）であり；そして前記両親媒性ブロックコポリマーの前記非混和性ブロックセグメントの少なくとも一つが、ポリ（ブチレンオキシド）である、請求項１〜７のいずれか一項に記載の組成物。
【請求項９】
前記両親媒性ブロックコポリマーが、ポリ（エチレンオキシド）−ｂ−ポリ（ブチレンオキシド）又はポリ（エチレンオキシド）−ｂ−ポリ（ブチレンオキシド）−ｂ−ポリ（エチレンオキシド）である、請求項１〜８のいずれか一項に記載の組成物。
【請求項１０】
前記両親媒性ブロックコポリマーが、１０００〜３０，０００の分子量を有する、請求項１〜９のいずれか一項に記載の組成物。
【請求項１１】
前記両親媒性ブロックコポリマーの前記混和性ブロックセグメント：前記両親媒性ブロックコポリマーの前記非混和性ブロックセグメントの比率が、１０：１〜１：１０である、請求項１〜１０のいずれか一項に記載の組成物。
【請求項１２】
前記両親媒性ブロックコポリマーが、前記組成物の重量に基づいて、０．１重量％〜３０重量％の量で存在する、請求項１〜１１のいずれか一項に記載の組成物。
【請求項１３】
前記エポキシ樹脂が、多価アルコールのポリグリシジルエーテル、多価フェノールのポリグリシジルエーテル、ポリグリシジルアミン、ポリグリシジルアミド、ポリグリシジルイミド、ポリグリシジルヒダントイン、ポリグリシジルチオエーテル、エポキシ化脂肪酸又は乾性油、エポキシ化ポリオレフィン、エポキシ化不飽和二酸エステル、エポキシ化不飽和ポリエステル、及びそれらの混合物から成る群から選択される、請求項１〜１２のいずれか一項に記載の組成物。
【請求項１４】
前記エポキシ樹脂が、多価アルコールのグリシジルポリエーテル又は多価フェノールのグリシジルポリエーテルである、請求項１〜１３のいずれか一項に記載の組成物。
【請求項１５】
前記エポキシ樹脂が、３，４−エポキシシクロヘキシルメチル−３，４−エポキシシクロヘキシルカルボキシレート、１，２−エポキシ−４−ビニルシクロヘキサン、ビス（７−オキサビシクロ［４．１．０］ヘプタ−３−イルメチルヘキサン二酸エステル、３，４−エポキシシクロヘキサンカルボキシレートメチルエステル、及びそれらの混合物から成る群から選択される、請求項１〜１２のいずれか一項に記載の組成物。
【請求項１６】
前記エポキシ樹脂非混和性ブロックセグメントと同一組成のホモポリマーを包含する、請求項１〜１５のいずれか一項に記載の組成物。
【請求項１７】
前記エポキシ樹脂混和性ブロックセグメントと同一組成のホモポリマーを包含する、請求項１〜１６のいずれか一項に記載の組成物。
【請求項１８】
ポリエポキシドが、１５０〜３０００のエポキシド当量を有する、請求項１〜１７のいずれか一項に記載の組成物。
【請求項１９】
硬化触媒を包含する、請求項１〜１８のいずれか一項に記載の組成物。
【請求項２０】
（ａ）エポキシ樹脂；
（ｂ）少なくとも一つのエポキシ樹脂混和性ブロックセグメントと、少なくとも一つのエポキシ樹脂非混和性ブロックセグメントとを含む両親媒性ブロックコポリマー、ここで、前記非混和性ブロックセグメントは、当該非混和性ブロックセグメントのポリエーテル構造が少なくとも４個の炭素原子を有するアルキレンオキシドモノマー単位を少なくとも一つ又は二つ以上含む条件の下で、前記エポキシ樹脂組成物が硬化する際に得られた硬化したエポキシ接着性樹脂組成物の結合強度が前記両親媒性ポリエーテルブロックコポリマーなしのエポキシ樹脂組成物と比較して向上するような量で、ポリエーテル構造を少なくとも一つ含む；及び
（ｃ）少なくとも一種の硬化剤：
を混合することを含む硬化性の接着性エポキシ樹脂組成物の調製法。
【請求項２１】
請求項１〜１９のいずれか一項に記載の硬化性の接着性エポキシ樹脂組成物を用いて結合させた２つ又は３つ以上の基材。
【手続補正書】
【提出日】平成20年10月14日(2008.10.14)
【手続補正１】
【補正対象書類名】特許請求の範囲
【補正対象項目名】全文
【補正方法】変更
【補正の内容】
【特許請求の範囲】
【請求項１】
タンパク質画分及び脂質画分を含む組成物であって、脂質画分が８〜５０重量％のリン脂質を含有していることを特徴とする、炎症反応を即座に軽減させる組成物。
【請求項２】
タンパク質画分又は脂質画分が、胃腸管を通じて副交感神経系の求心性迷走神経を中枢部又は末梢部から刺激し、これにより、遠心性迷走神経によるニコチン性受容体の刺激を介して炎症反応の急激な軽減がもたらされることを特徴とする請求項１記載の組成物。
【請求項３】
脂質画分が、１０〜３５重量％、好ましくは１２〜３０重量％のリン脂質を含有していることを特徴とする請求項１又は２記載の組成物。
【請求項４】
脂質画分が、２〜５０重量％のモノグリセリド及びジグリセリドを含有していることを特徴とする請求項１〜３のいずれか記載の組成物。
【請求項５】
タンパク質画分が、インタクトなカゼイン及び／又はインタクトなホエータンパク質及び／又は大豆タンパク質加水分解物を含んでいることを特徴とする請求項１〜４のいずれか記載の組成物。
【請求項６】
全乾燥組成物の０．２〜２５重量％にあたる量のベタインを含有していることを特徴とする請求項１〜５のいずれか記載の組成物。
【請求項７】
脂質画分が、組成物の４２〜９０ｅｎ％を構成していることを特徴とする請求項１〜６のいずれか記載の組成物。
【請求項８】
手術、放射線療法、化学療法、急性（細菌）感染、潰瘍形成、細菌転移、外傷、傷害、アレルゲン、虚血イベント、心不全、火傷における、慢性炎症性疾患の増悪の軽減若しくは急性炎症反応の抑制、又はＣＡＲＳ、ＳＩＲＳ、ＡＲＦ、敗血症、及び（多）臓器不全の発症予防を目的とする、請求項１〜７のいずれか記載の組成物。
【請求項９】
増悪開始の５分後〜２４時間後に投与されることを特徴とする請求項８記載の組成物。
【請求項１０】
手術、移植、輸血、放射線療法、化学療法、又は予定されたアレルゲン暴露の２４時間前〜５分前に投与されることを特徴とする請求項８記載の組成物。
【請求項１１】
慢性炎症性疾患の増悪開始の５分後〜２４時間後、又は、手術、移植、輸血、放射線療法、化学療法、若しくは予定されたアレルゲン暴露の５分前〜２４時間前に投与され、４２〜９０ｅｎ％の脂質、６〜５０ｅｎ％のタンパク質及び０〜５０ｅｎ％の炭水化物を含有することを特徴とする請求項１〜１０のいずれか記載の組成物。
【請求項１２】
哺乳動物における急性炎症反応の緩和又は予防を目的とする請求項１〜１１のいずれか記載の組成物。
【請求項１３】
１０〜５０ｅｎ％のタンパク質画分、４０〜９０ｅｎ％の脂質画分を含有する栄養組成物であって、前記タンパク質画分が、カゼイン、ホエータンパク質及び大豆タンパク質加水分解物のうち１つ以上を少なくとも９０重量％含有し、前記脂質画分が、８〜５０重量％のリン脂質を含有していることを特徴とする栄養組成物。
【請求項１４】
脂質画分が、１０〜３５重量％、好ましくは１２〜３０重量％のリン脂質を含有していることを特徴とする請求項１３記載の組成物。
【請求項１５】
胃腸管を通じて副交感神経系を中枢部又は末梢部から刺激することが可能なタンパク質画分及び／又は脂質画分を含有し、即時型炎症反応を起こしている又はその危険がある哺乳動物に用いられ、遠心性迷走神経によるニコチン性受容体の刺激を介して炎症反応の軽減がもたらされることを特徴とする急性炎症反応を急激に軽減させる組成物。
【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
５−アミノレブリン酸（５−ＡＬＡ）の誘導体、または医薬的に許容可能なその塩である光増感剤を含む座瘡の予防または治療用組成物。
前記光増感剤が、以下の一般式Ｉ：
Ｒ22Ｎ−ＣＨ2ＣＯＣＨ2−ＣＨ2ＣＯ−ＯＲ1  （Ｉ）
（Ｒ1は、非置換アルキル基またはアリール基で置換されたアルキル基を表し、および各Ｒ2は、独立して、水素原子、非置換アルキル基または置換されたアルキル基を表す）の化合物である。
【請求項２】
前記式Ｉにおいて、各Ｒ2が水素原子を表す請求項１に記載の組成物。
【請求項３】
前記式Ｉにおいて、Ｒ1が、Ｃ1-2アルキル基またはアリール基で置換されたＣ1-2アルキル基を表す請求項１または２に記載の組成物。
【請求項４】
前記化合物が、メチルＡＬＡエステル、ベンジルＡＬＡエステル、または置換ベンジルＡＬＡエステルから選択される請求項３に記載の組成物。
【請求項５】
前記式Ｉにおいて、Ｒ1が、アリール基で置換されたアルキル基を表す請求項１または２に記載の組成物。
【請求項６】
前記式Ｉにおいて、Ｒ1が、アリールで置換されたＣ1-4アルキル基を表す請求項１または２に記載の組成物。
【請求項７】
前記化合物が、ベンジルＡＬＡエステル、４−イソプロピルベンジルＡＬＡエステル、４−メチルベンジルＡＬＡエステル、２−メチルベンジルＡＬＡエステル、３−メチルベンジルＡＬＡエステル、４−［ｔ−ブチル］ベンジルＡＬＡエステル、４−［トリフルオロメチル］ベンジルＡＬＡエステル、４−メトキシベンジルＡＬＡエステル、３，４−［ジ−クロロ］ベンジルＡＬＡエステル、４−クロロベンジルＡＬＡエステル、４−フルオロベンジルＡＬＡエステル、２−フルオロベンジルＡＬＡエステル、３−フルオロベンジルＡＬＡエステル、２，３，４，５，６−ペンタフルオロベンジルＡＬＡエステル、３−ニトロベンジルＡＬＡエステル、４−ニトロベンジルＡＬＡエステル、２−フェニルエチルＡＬＡエステル、４−フェニルブチルＡＬＡエステル、３−ピリジニル−メチルＡＬＡエステル、４−ジフェニル−メチルＡＬＡエステル、およびベンジル−５−［（１−アセチルオキシエトキシ）−カルボニル］アミノレブリネートから選択される請求項６に記載の組成物。
【請求項８】
前記化合物が、ベンジルＡＬＡエステルまたは置換ベンジルＡＬＡエステルである請求項５または６に記載の組成物。
【請求項９】
前記式Ｉにおいて、Ｒ1が、非置換アルキル基を表す請求項１または２に記載の組成物。
【請求項１０】
前記化合物が、メチルＡＬＡエステル、エチルＡＬＡエステル、プロピルＡＬＡエステル、ブチルＡＬＡエステル、ペンチルＡＬＡエステル、ヘキシルＡＬＡエステル、オクチルＡＬＡエステル、２−メチルペンチルＡＬＡエステル、４−メチルペンチルＡＬＡエステル、１−エチルブチルＡＬＡエステル、３，３−ジメチル−１−ブチルＡＬＡエステルから選択される請求項９に記載の組成物。
【請求項１１】
前記化合物が、メチルＡＬＡエステル、ヘキシルＡＬＡエステル、および４−メチルペンチルＡＬＡエステルから選択される請求項９に記載の組成物。
【請求項１２】
第２の光増感剤をさらに含む請求項１から１１のいずれかに記載の組成物。
【請求項１３】
少なくとも１つの表面浸透助剤、または少なくとも１つの表面浸透助剤と１つもしくはそれ以上のキレート剤を、さらに含む請求項１から１２のいずれかに記載の組成物。
【請求項１４】
前記座瘡が、プロピオニバクテリウムアクネス（Propionibacterium acnes）、プロピオニバクテリウム−アビダム（Propionibacterium avidum）、またはプロピオニバクテリウム−グラヌローサム（Propionibacterium granulosum）に関連している請求項１から１３のいずれか１項に記載の組成物。
【請求項１５】
前記座瘡が、尋常性痊瘡、酒さ性痊瘡、集簇性痊瘡、丘疹性痊瘡、および月経前痊瘡から選択される請求項１から１３のいずれか１項に記載の組成物。
【請求項１６】
座瘡の治療または予防方法において用いられる製品またはキットであって、
（ａ）請求項１から１５のいずれか１項に記載の組成物を含む第１の容器と、
（ｂ）非光増感座瘡治療剤を含む第２の容器とを含む製品またはキット。
【請求項１７】
座瘡の美容上の処置方法であって、身体上の処置部位に、５−アミノレブリン酸（５−ＡＬＡ）の誘導体、または医薬的に許容可能なその塩である光増感剤、または医薬的に許容可能なその塩を投与すること、および前記処置部位において前記光増感剤を光活性化することを含む方法。
前記光増感剤が、以下の一般式Ｉ：
Ｒ22Ｎ−ＣＨ2ＣＯＣＨ2−ＣＨ2ＣＯ−ＯＲ1  （Ｉ）
（Ｒ1は、非置換アルキル基またはアリール基で置換されたアルキル基を表し、および各Ｒ2は、独立して、水素原子、非置換アルキル基または置換されたアルキル基を表す）の化合物である。
【手続補正書】
【提出日】平成20年7月8日(2008.7.8)
【手続補正１】
【補正対象書類名】明細書
【補正対象項目名】０００１
【補正方法】変更
【補正の内容】
【０００１】
米国政府は、国立衛生研究所により授与された助成金番号ＣＡ０８５９１５に従って、本発明に対して特定の権利を有する．
（関連出願データ）
本出願は、２００４年１１月１２日に申請された米国仮出願第６０／６２６，８６２号の利益を主張するものであり、同仮出願は参照してその全体が本明細書に組み込まれる。
【手続補正書】
【提出日】平成20年11月10日(2008.11.10)
【手続補正１】
【補正対象書類名】特許請求の範囲
【補正対象項目名】全文
【補正方法】変更
【補正の内容】
【特許請求の範囲】
【請求項１】
ビタミンD受容体のリガンドであるビタミンD3及びその類似体から選択されるビタミンD化合物を、ドキソルビシン及びエピルビシンから選択される１以上の他の抗増殖薬と組み合わせて含む、膀胱癌の予防又は治療のための医薬組成物。
【請求項２】
（i）ビタミンD受容体のリガンドであるビタミンD3及びその類似体から選択されるビタミンD化合物を、（ii）ドキソルビシン及びエピルビシンから選択される１以上の他の抗増殖薬、及び、（iii）１以上の医薬として許容し得る希釈剤又は担体と組み合わせて含む、膀胱癌の予防又は治療のための請求項１記載の医薬組成物。
【請求項３】
抗増殖薬としてエピルビシンを含む、請求項１〜２のいずれか１項記載の医薬組成物。
【請求項４】
前記ビタミンD化合物がカルシトリオールである、請求項１〜３のいずれか１項記載の医薬組成物。
【請求項５】
前記ビタミンD化合物が下記式の化合物、又は医薬として許容し得るそのエステル若しくは塩である、請求項１〜３のいずれか１項記載の医薬組成物：
【化１】
2008519808.tif 000001
（式中、Xは、H2又はCH2であり、
R1は、水素原子、ヒドロキシ又はフッ素であり、
R2は、水素原子又はメチルであり、
R3は、水素原子又はメチルであり、ここでR2又はR3がメチルである場合、R3又はR2は、水素原子でなければならず、
R4は、メチル、エチル又はトリフルオロメチルであり、
R5は、メチル、エチル又はトリフルオロメチルであり、
Aは、単結合又は二重結合であり、
Bは、単結合、E-二重結合、Z-二重結合又は三重結合である。）。
【請求項６】
R4及びR5の各々がメチル又はエチルである、請求項５記載の医薬組成物。
【請求項７】
前記ビタミンD化合物が、下記式を有する1-アルファ-フルオロ-25-ヒドロキシ-16,23E-ジエン-26,27-ビスホモ-20-エピ-コレカルシフェロール、又は医薬として許容し得るそのエステル若しくは塩である、請求項６記載の医薬組成物：
【化２】
2008519808.tif 000002
。
【請求項８】
前記ビタミンD化合物が下記式の化合物、又は医薬として許容し得るそのエステル若しくは塩である、請求項１〜３のいずれか１項記載の医薬組成物：
【化３】
2008519808.tif 000003
（式中、X1は、H2又はCH2であり；
A2は、単結合、二重結合又は三重結合であり； 
R3は、C1-C4アルキル、ヒドロキシアルキル、又はハロアルキルであり；
R4は、C1-C4アルキル、ヒドロキシアルキル又はハロアルキルであり；かつ
C20の立体配置は、R又はSである。)。
【請求項９】
前記ビタミンD化合物が下記式の化合物、即ち1,25-ジヒドロキシ-21-(3-ヒドロキシ-3-メチルブチル)-19-ノル-コレカルシフェロール、又は医薬として許容し得るそのエステル若しくは塩である、請求項８記載の医薬組成物：
【化４】
2008519808.tif 000004
。
【請求項１０】
前記ビタミンD化合物及び／又は前記1以上の抗増殖薬が、膀胱内注入によって前記膀胱に投与される、請求項１〜９のいずれか１項記載の医薬組成物。
【請求項１１】
前記ビタミンD化合物及び前記1以上の抗増殖薬が、膀胱内注入によって前記膀胱に投与される、請求項１０記載の医薬組成物。
【請求項１２】
前記膀胱癌が表在性膀胱癌である、請求項１〜１１のいずれか１項記載の医薬組成物。
【請求項１３】
膀胱癌の予防又は治療のための、医薬の製造における、ビタミンD受容体のリガンドであるビタミンD3及びその類似体から選択されるビタミンD化合物、及びドキソルビシン及びエピルビシンから選択される１以上の他の抗増殖薬の使用であって、該ビタミンD化合物及び抗増殖薬が、組み合わせた調製物又は個別の調製物中に存在する、前記使用。
【請求項１４】
エピルビシンが抗増殖薬として使用される、請求項１３記載の使用。
【請求項１５】
前記ビタミンD化合物及び／又は前記1以上の抗増殖薬が、膀胱内注入によって前記膀胱に投与される、請求項１３又は１４のいずれか１項記載の使用。
【請求項１６】
前記ビタミンD化合物及び前記1以上の抗増殖薬が、膀胱内注入によって前記膀胱に投与される、請求項１５記載の使用。
【請求項１７】
前記膀胱癌が表在性膀胱癌である、請求項１３〜１６のいずれか１項記載の使用。
【請求項１８】
膀胱癌の予防又は治療が必要な患者にビタミンD化合物と、抗増殖薬としてのエピルビシンとを同時投与又は連続投与し、これにより該患者における膀胱癌を予防又は治療することを指示する添付文書と共に、ビタミンD受容体のリガンドであるビタミンD3及びその類似体から選択されるビタミンD化合物を含む、キット。
【請求項１９】
膀胱癌の予防又は治療が必要な患者にビタミンD化合物と、ドキソルビシン及びエピルビシンから選択される１以上の他の抗増殖薬とを同時投与又は連続投与し、これにより該患者における膀胱癌を予防又は治療することを指示する添付文書と共に、ビタミンD化合物としてカルシトリオールを含む、キット。
【請求項２０】
前記ビタミンD化合物及び／又は抗増殖薬が、医薬として許容し得る希釈剤又は担体と一緒に、医薬組成物中に配合される、請求項１８又は１９記載のキット。
【請求項２１】
前記ビタミンD化合物及び／又は前記１以上の抗増殖薬が、膀胱内注入によって前記膀胱に投与される、請求項１８〜２０のいずれか１項記載のキット。
【請求項２２】
前記ビタミンD化合物及び前記１以上の抗増殖薬が、膀胱内注入によって前記膀胱に投与される、請求項２１記載のキット。
【請求項２３】
前記膀胱癌が表在性膀胱癌である、請求項１８〜２２のいずれか１項記載のキット。
【手続補正書】
【提出日】平成20年10月28日(2008.10.28)
【手続補正１】
【補正対象書類名】特許請求の範囲
【補正対象項目名】全文
【補正方法】変更
【補正の内容】
【特許請求の範囲】
【請求項１】
顔面紅潮の治療のための薬剤の製造のためのＳミルタザピンの使用。